(57)【要約】      （修正有）【課題】複数の小型液晶パネルを使用して、大画面サイズの表示が可能なマルチディスプレイ装置を作成する。【解決手段】液晶マルチディスプレイ装置１は、表示装置群のそれぞれの小型液晶パネル２ａ〜２ｄに表示する為の表示データをフレームメモリに保存し、フレームメモリに書き込まれた表示データを、フレームメモリ読み出し回路が読み出し、読み出し時に読み出し開始アドレス設定回路にて、表示装置群を構成する複数の小型液晶パネル２ａ〜２ｄに表示するために、どの表示装置に表示するかのアドレスを設定し、このアドレスに従って１水平同期期間に表示装置群に対応したラインメモリに映像信号が送信され、表示装置に映像を表示する。【選択図】図１
2010156846.tif 000002
【特許請求の範囲】
【請求項１】
複数の小型液晶パネルを組み合わせて作成された表示装置群と、該表示装置群に引き出し線を介して接続された液晶表示回路とから成る液晶マルチディスプレイ装置及び、映像信号を生成するクライアントＰＣからなるマルチディスプレイシステムであって、前記液晶表示回路には前記クライアントＰＣにより送信される映像信号を変換処理する入力データ処理回路と、該入力データ処理回路で処理された表示データを、前記液晶マルチディスプレイ装置に設けられている表示装置群のそれぞれの小型液晶パネルに表示する為に保存するフレームメモリと、該フレームメモリに表示データを書き込む為のフレームメモリ書き込み回路と、前記フレームメモリ書き込み回路に前記表示データが送信され、前記映像信号に含まれている同期信号により前記フレームメモリに書き込まれた表示データを読み出す為のフレームメモリ読み出し回路と、前記表示装置群を構成する複数の小型液晶パネルのうち、どの液晶パネルに映像を表示するかのアドレスを設定する為の読み出し開始アドレス設定回路と、前記設定されたアドレスに従って１水平同期期間に、前記表示装置群に対応したラインメモリが設けられていることを特徴とするマルチディスプレイシステム。
【発明の詳細な説明】
【技術分野】
【０００１】
本発明は、複数の小型液晶パネルを用いて、大画面サイズ表示を実現する液晶マルチディスプレイ装置において、マルチ画面表示を行う表示装置とその表示駆動方式に関する。
【背景技術】
【０００２】
複数の小型液晶パネルを組み合わせて大画面を構成し、その大画面に画像の表示を行うマルチディスプレイシステムに関して、特開２００１−２４２４３５号に記載されている構成をとるのが一般的である。
この従来のマルチディスプレイの構成について図５を用いて説明する。なお、液晶パネル数は４枚構成にした装置で説明する。
【０００３】
図５において、マルチ表示の表示データやマルチ表示のコンテンツのコントロール制御を行う制御処理装置として、クライアントＰＣ４が用いられる。クライアントＰＣ４で加工された画像データは映像信号を出力する。映像信号は、デジタルやアナログなどの画面表示用の同期信号を含んだ信号であり、アナログＲＧＢ，ＤＶＩ，コンポジットビデオ，コンポーネントビデオ信号がマルチディスプレイシステム１に入力される。マルチディスプレイシステム１は、液晶パネル２ａ，２ｂ，２ｃ，２ｄと前記液晶パネルそれぞれを表示制御する液晶表示回路３ａ，３ｂ，３ｃ，３ｄが接続されている。液晶表示回路３ａ，３ｂ，３ｃ，３ｄは、クライアントＰＣ４から送信された前記映像信号から、液晶パネル２ａ，２ｂ，２ｃ，２ｄに表示すべき表示データを加工して、液晶パネル２ａ，２ｂ，２ｃ，２ｄに表示する。また、この液晶表示回路３ａ，３ｂ，３ｃ，３ｄは、通信機能を持ちクライアントＰＣ４との間で制御信号線を設けている。制御信号線は例えば、シリアルポート信号のＲＳ−２３２Ｃ，ＲＳ−４８５などで接続して、制御コマンドを送受信し、マルチ表示のコンテンツに合わせた表示制御などを可能にしている。また、前記した液晶表示回路３ａ，３ｂ，３ｃ，３ｄは、該当するＩＤ番号の設定値を取り込み、設定値で指定した領域を表示する。
【０００４】
続いて液晶表示回路３ａ，３ｂ，３ｃ，３ｄの動作を詳細に説明する。図６は、液晶表示回路３ａ，３ｂ，３ｃ，３ｄの内部構成ブロック図を示す。クライアントＰＣ４から送信された映像信号は、入力データ処理回路９にてデジタルの表示データと表示用同期信号が生成され、フレームメモリ書き込み回路１０にて、書き込み開始位置情報およびデータ量を設定するレジスタ値により、フレームメモリ選択切り換え回路１１を介してフレームメモリに書き込まれる。フレームメモリ選択切り換え回路１１は、フレームメモリ１２，１３の２画面分のフレームメモリをそれぞれ、書き込み用、読み出し用に切り換える制御を行う。一方読み出し側も各レジスタが存在し、設定された開始位置情報、拡大率情報を基に各液晶パネルに表示するデータを読み出し、液晶パネル２ａ，２ｂ，２ｃ，２ｄに表示データ、液晶表示タイミング信号を出力し、液晶パネル表示を行う。
【０００５】
マイクロコントローラ７は、システムメモリ８に格納されたファームウェアプログラムにより液晶表示回路３ａ，３ｂ，３ｃ，３ｄ内の前述した各レジスタへのデータ設定を行う。制御データ処理回路５は、クライアントＰＣ４との通信制御信号のデータ変換を行っている。ＩＤ番号設定回路６は、複数の液晶表示回路３ａ，３ｂ，３ｃ，３ｄを個別通信制御するための通信制御コマンド識別用に個別ＩＤ番号を設定される。
【０００６】
上述のように、大画面を構成するマルチディスプレイ装置においては、複数枚の液晶パネルにそれぞれ液晶表示回路基板が取り付いた状態を１ユニットとし、現地で組み立てるようにしていた。
【０００７】
【特許文献１】特開２００１−２４２４３５号
【発明の開示】
【発明が解決しようとする課題】
【０００８】
上記従来のマルチディスプレイ装置は、ユニット化された同一品を任意の枚数で構成するため、ＩＤ番号の設定以外は同一品になるため製造上の取り扱いが楽になるが、表示を拡大して大画面表示を実現する手段を提供するためには、複数枚の液晶パネルにそれぞれ設けられている液晶表示回路基板を使用することになり、コストアップとなる。
また、上記したように複数枚の液晶パネルにそれぞれ設けられている液晶表示回路基板があるために、クライアントＰＣからそれぞれの液晶表示回路基板に、ＩＤ番号情報を付加した制御コマンドと共に表示する領域の設定値を送信しなければならず通信制御が複雑になり、クライアントＰＣの負担が大きかった。
【課題を解決するための手段】
【０００９】
本発明は従来の問題に鑑みなされたもので、複数の小型液晶パネルを組み合わせて作成された表示装置群と、該表示装置群に引き出し線を介して接続された液晶表示回路とから成る液晶マルチディスプレイ装置及び、映像信号を生成するクライアントＰＣからなるマルチディスプレイシステムであって、前記液晶表示回路には前記クライアントＰＣにより送信される映像信号を変換処理する入力データ処理回路と、該入力データ処理回路で処理された表示データを、前記液晶マルチディスプレイ装置に設けられている表示装置群のそれぞれの小型液晶パネルに表示する為に保存するフレームメモリと、該フレームメモリに表示データを書き込む為のフレームメモリ書き込み回路と、前記フレームメモリ書き込み回路に前記表示データが送信され、前記映像信号に含まれている同期信号により前記フレームメモリに書き込まれた表示データを読み出す為のフレームメモリ読み出し回路と、前記表示装置群を構成する複数の小型液晶パネルのうち、どの液晶パネルに映像を表示するかのアドレスを設定する為の読み出し開始アドレス設定回路と、前記設定されたアドレスに従って１水平同期期間に、前記表示装置群に対応したラインメモリが設けられているマルチディスプレイシステムを提案するものである。
【発明の効果】
【００１０】
本発明によれば、複数の液晶パネルを１枚の液晶表示回路基板で制御できるため、クライアントＰＣからの通信制御が単純化され、クライアントＰＣの負担は軽減され、部品点数を大幅に削減できたため、ロウコストで大画面表示のマルチディスプレイシステムを提供することができる。
【実施例】
【００１１】
以下、本発明の実施例を図面を用いて詳細に説明する。図１は本発明のマルチディスプレイシステムの基本構成ブロック図を示す。なお液晶パネル数は４枚構成にした例で説明する。
【００１２】
クライアントＰＣ４で加工された画像データは映像信号に変換され、デジタルやアナログなどの画面表示用の同期信号を含んだ信号であるアナログＲＧＢ，ＤＶＩ，コンポジットビデオ，コンポーネントビデオ信号が液晶表示回路３に入力される。液晶表示回路３とクライアントＰＣ４は通信制御信号で接続され、クライアントＰＣ４から接続される液晶マルチディスプレイ装置１の液晶パネル枚数、液晶パネルの解像度、液晶パネルの周囲の額縁部の幅を液晶のドット数に換算したデータなどの表示制御をするための情報が送られてくる。液晶表示回路３は１枚の基板で構成されており、マルチディスプレイ化する前の個々の液晶パネルを表示制御した場合の基板面積とあまり差はなく実現しており、本実施例では、マルチディスプレイ化した４枚の液晶パネルを同時に表示制御している。
【００１３】
図１，２により、１枚の基板でマルチディスプレイ化した４枚の液晶パネルの表示制御処理について詳細に説明する。クライアントＰＣ４で加工された映像信号は、液晶表示回路３に送信され、入力データ処理回路９で映像信号の波形を計測し、映像信号の解像度、周波数、タイミングを算出する。また、同期信号の抽出と信号変換処理によりデジタルデータ化し、フレームメモリ書き込み回路１０に送られる。フレームメモリ書き込み回路１０は、フレームメモリ１２または１３に１画面分のデータを書き込む。この時フレームメモリ書き込み回路１０は、フレームメモリ選択切り換え回路１１を選択し、交互に２つのフレームメモリ１２または１３に書き込んで行く。書き込み方法は入力される１画面分のデータを順次書き込むだけであり単純な処理となる。
【００１４】
一方書き込み処理と並行して、フレームメモリ１２または１３に書き込まれた画像データを読み出し、データ加工して液晶パネル２ａ〜２ｄに表示するまでの処理の流れを説明する。
出力表示タイミング信号生成回路１４では、入力データ処理回路９で生成した映像信号の同期信号に同期した液晶パネル用の表示タイミング信号が生成される。生成されたタイミング信号は、液晶パネル２ａ〜２ｄのタイミング信号として液晶出力信号生成回路２３ａ〜２３ｄに送られると共にフレームメモリ読み出し回路１５に入力され読み出しタイミングを生成する。フレームメモリ読み出し回路１５は、読み出し開始アドレス設定回路１６に開始アドレスをセットし、液晶パネル２ａ〜２ｄの１水平同期期間の画像データをフレームメモリ１２または１３から読み出すにあたりアドレス指定できるようにしている。また、フレームメモリ選択切り換え回路１１は、２つのフレームメモリ１２，１３への書き込みと読み出し切り換えを制御している。選択指令は、フレームメモリ書き込み回路１０が指示するようにしており、フレームメモリ読み出し回路１５は選択されたフレームメモリ１２または１３のデータを読み出し、次段に配置されているラインメモリ１８〜２１に転送する。
出力表示タイミング信号生成回路１４から出力される１水平同期期間に読み出すデータ量は、各液晶パネルの１ライン分×液晶パネル数となり、液晶パネル４枚で１画面を構成する場合は、１水平同期期間に４回フレームメモリをアクセスし任意のアドレスから任意のデータ量を読み出すことができる。液晶パネル４枚（２×２）で構成されている場合は、指定した開始アドレスから１／２ライン分のデータを読み出し、フレームメモリを４回アクセスして４枚の液晶パネル２ａ〜２ｄの１ライン分がラインメモリ１８〜２１に書き込まれる。この時フレームメモリ読み出し回路１５は、読み出した表示データを２倍に拡大しラインメモリ１８〜２１に転送する。
【００１５】
続いて次ラインのデータをフレームメモリ１２または１３から読み出し加工してラインメモリ１８〜２１に転送する場合は、フレームメモリ読み出し回路１５よりラインメモリ書き込み選択切り換え回路１７ａ〜１７ｄを選択し、２つのラインメモリを交互に選択する。ラインメモリ書き込み選択切り換え回路１７ａ〜１７ｄが１番目のラインメモリ１８ａ，１９ａ，２０ａ，２１ａを選択した場合は、ラインメモリ読み出し選択切り換え回路２２ａ〜２２ｄは、２番目のラインメモリ１８ｂ，１９ｂ，２０ｂ，２１ｂを選択するようになる。選択されたラインメモリは、出力表示タイミング信号生成回路１４で作られた表示制御タイミングで読み出し、ラインメモリ読み出し選択切り換え回路２２ａ〜２２ｄを介して液晶出力信号生成回路２３ａ〜２３ｄで液晶パネルのインターフェース信号であるＬＶＤＳ方式のデータに変換され液晶パネルに送られる。液晶出力信号生成回路２３ａ〜２３ｄから各液晶パネル２ａ〜２ｄに接続されるＬＶＤＳインターフェースはケーブルで接続される。ケーブルの長さは、ＬＶＤＳ信号規格では１０ｍまで可能なため、大画面を構成した場合でも、液晶表示回路基板１枚から各液晶パネルへ配線することが可能となる。そのため、液晶パネル背面に制御基板を取り付けることはなくなり軽量化が図れるため取り付けが楽になる。
液晶パネル４面を１ユニットとして実施例を説明したが、１水平同期期間にフレームメモリから読み出しラインメモリに転送可能な回数分液晶パネル数を１枚の液晶表示回路基板で駆動することができる。
本発明は、フレームメモリから読み出すデータの開始アドレスを指定するため、クライアントＰＣ４からの指令により、図３のような表示パターンを表示することが可能となる。
また、液晶パネル数をさらに増やした場合は、図４のように映像信号分配器を使用して、各液晶表示回路基板にＩＤ番号を設定することで、多画面の液晶マルチディスプレイ装置を実現できる。
本発明の表示パネルは、直視型液晶パネルを実施例として説明したが、背面から光を当てた透過光により液晶パネル画面上の表示をスクリーンに投射する装置にも適用できる。また、プラズマディスプレイ等の表示パネルにも応用することができる。
【図面の簡単な説明】
【００１６】
【図１】本発明の液晶マルチディスプレイ装置の基本構成ブロック図
【図２】本発明の液晶表示回路の構成図
【図３】本発明の表示例
【図４】液晶パネル数を増やした時の構成ブロック図
【図５】従来の液晶マルチディスプレイ装置の基本構成ブロック図
【図６】従来の液晶表示回路の構成図
【符号の説明】
【００１７】
１  液晶マルチディスプレイ装置
２  液晶パネル
２ａ〜２ｄ  各液晶パネル
３  液晶表示回路
３ａ〜３ｄ  各液晶表示回路
４  クライアントＰＣ
５  制御データ処理回路
６  ＩＤ番号設定回路
７  マイクロコントローラ
８  システムメモリ
９  入力データ処理回路
１０  フレームメモリ書き込み回路
１１  フレームメモリ選択切換回路
１２  フレームメモリＡ
１３  フレームメモリＢ
１４  出力表示タイミング信号生成回路  
１５  フレームメモリ読み出し回路
１６  読み出し開始アドレス設定回路
１７ａ〜１７ｄ  ラインメモリ書き込み選択回路
１８ａ，１８ｂ  第１のラインメモリ
１９ａ，１９ｂ  第２のラインメモリ
２０ａ，２０ｂ  第３のラインメモリ
２１ａ，２０ｂ  第４のラインメモリ
２２ａ〜２２ｄ  ラインメモリ読み出し選択回路
２３ａ〜２３ｄ  液晶出力信号生成回路
２４  映像信号分配器
【図１】
2010156846.tif 000003
【図２】
2010156846.tif 000004
【図３】
2010156846.tif 000005
【図４】
2010156846.tif 000006
【図５】
2010156846.tif 000007
【図６】
2010156846.tif 000008